(57)【要約】【課題】高平滑性を有し、炭素繊維束の高次加工工程において優れた工程通過性を有し、さらに機械物性向上効果に優れる炭素繊維束を得ることができる炭素繊維用サイジング剤を提供する。【解決手段】炭素繊維用サイジング剤が下記（１）〜（４）を満足する。（１）分子中に複数個のエポキシ基を有するエポキシ化合物と不飽和一塩基酸とのエステル化合物であって分子中に少なくとも１つのエポキシ基を有する化合物（Ａ）、硬化物の引張伸び率が４０％以上の２官能タイプのウレタンアクリレートオリゴマー化合物（Ｂ）、ステアリン酸エステル化合物（Ｃ）及び界面活性剤（Ｄ）を含む。（２）ウレタンアクリレートオリゴマー（Ｂ）／化合物（Ａ）の比が１／３〜２／１。（３）全サイジング成分中の化合物（Ａ）とウレタンアクリレートオリゴマー（Ｂ）の合計割合が２０質量％以上。（４）全サイジング成分中のステアリン酸エステル化合物（Ｃ）の割合が５〜３０質量％。【選択図】なし【特許請求の範囲】
【請求項１】
下記（１）〜（４）を満足する、炭素繊維用サイジング剤。
（１）前記炭素繊維用サイジング剤が下記（Ａ）〜（Ｄ）を含有する。
・分子中に複数個のエポキシ基を有するエポキシ化合物と不飽和一塩基酸とのエステル化合物であって、分子中に少なくとも１つのエポキシ基を有する化合物（Ａ）
・硬化物の引張伸び率が４０％以上の２官能タイプの、ウレタンアクリレートオリゴマー化合物（Ｂ）
・ステアリン酸エステル化合物（Ｃ）
・界面活性剤（Ｄ）
（２）前記化合物（Ａ）と前記ウレタンアクリレートオリゴマー（Ｂ）との含有量の質量比が、ウレタンアクリレートオリゴマー（Ｂ）／化合物（Ａ）の比として、１／３以上２／１以下。
（３）全サイジング成分中に占める前記化合物（Ａ）および前記ウレタンアクリレートオリゴマー（Ｂ）の合計量の割合が２０質量％以上。
（４）全サイジング成分中に占める前記ステアリン酸エステル化合物（Ｃ）の割合が、５質量％以上３０質量％以下。
【請求項２】
下記（５）及び（６）を満足する請求項１に記載の炭素繊維用サイジング剤。
（５）ビスフェノール類のアルキレンオキシド付加物とジカルボン酸化合物とのエステルであって、その酸価が５０以上であるエステル化合物（Ｅ）を含む。
（６）前記エステル化合物（Ｅ）の含有量が、前記化合物（Ａ）および前記ウレタンアクリレートオリゴマー（Ｂ）の合計量の２．０質量倍以下。
【請求項３】
下記（７）及び（８）を満足する、請求項１または２に記載の炭素繊維用サイジング剤。
（７）界面活性剤（Ｄ）として、アンモニウムイオンを対イオンとして有するアニオン系界面活性剤（Ｄ−１）と、ノニオン系界面活性剤（Ｄ−２）とを含有し、前記アニオン系界面活性剤（Ｄ−１）と前記ノニオン系界面活性剤（Ｄ−２）との含有量の質量比が、ノニオン系界面活性剤（Ｄ−２）／アニオン系界面活性剤（Ｄ−１）の比として、１／１０以上１／５以下の範囲内である。
（８）全サイジング成分中に占める前記アニオン系界面活性剤（Ｄ−１）および前記ノニオン系界面活性剤（Ｄ−２）の合計量の割合が１０質量％以上２５質量％以下である。
【請求項４】
前記炭素繊維用サイジング剤が付着した炭素繊維からなる炭素繊維束であって、該サイジング剤の付着量が０．６質量％以上２．０質量％以下である、請求項１〜３のいずれか一項に記載の炭素繊維束。
【請求項５】
請求項４に記載の炭素繊維束を含むシート状基材。
【請求項６】
請求項４に記載の炭素繊維束からなる炭素繊維強化複合材。
【請求項７】
請求項５に記載のシート状基材からなる炭素繊維強化複合材。
【発明の詳細な説明】
【技術分野】
【０００１】
本発明は、炭素繊維用サイジング剤、サイジング剤の付着した炭素繊維束、シート状基材及び炭素繊維強化複合材に関する。
【背景技術】
【０００２】
一般的に炭素繊維は、直径が５〜８μｍ程度のフィラメントであり、この単繊維が数千〜数万本単位でまとまった形態（以下、「炭素繊維束」と表記する）で用いられる。炭素繊維は、それ自体は伸度が小さくかつ脆い性質を有するため、機械的摩擦等によって毛羽が発生しやすく、複合材料の製造工程において毛羽、糸切れが発生しやすい。そのため、収束性の付与と毛羽生抑制等を目的として、炭素繊維にはサイジング剤を付与することが一般的である。
【０００３】
また、炭素繊維は、エポキシ樹脂、不飽和ポリエステル樹脂、ビニルエステル樹脂、アクリル樹脂などの樹脂（以下、マトリックス樹脂と表記する）と複合化し、いわゆる炭素繊維強化組成物とした後、成形してなる炭素繊維強化複合材料として幅広い分野にわたって使用されるが、このマトリックス樹脂を含浸させる工程において、炭素繊維束へのマトリックス樹脂の含浸が、容易に、そして完全に行なわれるようにすることが必要である。
【０００４】
しかしながら、炭素繊維は、そのままの状態ではマトリックス樹脂に対する濡れ性に乏しく、マトリックス樹脂が含浸しにくい。そのため、得られる繊維強化複合材料の品質が充分に満足できるものとならない。これを改善する目的としても、炭素繊維へのサイジング処理が有効である。
【０００５】
すなわち、炭素繊維の取り扱い性を向上させるとともに、マトリックス樹脂に対する濡れ性を向上させ、品質の高い炭素繊維強化複合材料を工業的に安定に製造することを目的として、炭素繊維にサイジング剤による処理を施すのである。
【０００６】
炭素繊維強化組成物の製造方法としては、強化材としての繊維にマトリックス樹脂を含浸させる方法が一般的である。繊維にマトリックス樹脂を含浸させる方法として、複数本の炭素繊維束を一方向に引き揃えてシート状とした基材（以下、「シート状基材」と表記する）に樹脂を塗布し、含浸させる方法や、炭素繊維束を織機により加工して織物などのシート状基材としてから、この織物シート状基材に樹脂を塗布、含浸させる方法、あるいは複数の繊維束を一方向に引き揃えて、一方向繊維シート状基材とした後に、この一方向繊維シート状基材の複数枚を積層し、ステッチして得られる、いわゆる多軸積層編物シート状基材に樹脂を塗布、含浸させる方法など様々な方法がある。
【０００７】
一方で、単繊維数が２４，０００本よりも多い、いわゆるラージトウと呼ばれる炭素繊維束（以下、「ラージトウ」と表記する）が上市されている。ラージトウは生産性が高いため、炭素繊維強化複合材料の低コスト化を目的として、その採用は拡大している。しかし、フィラメント数が２４，０００よりも少ない、スモールトウと呼ばれる炭素繊維束（以下、「スモールトウ」と表記する）と比べると、高次加工で繊維束を拡幅して使用するときの、繊維束の均一な拡がり性（開繊性）に劣る面がある。そのため、繊維量の少ない、薄物プリプレグや、薄物織物に使用する場合に、繊維束間に隙間（以下、「目空き」と表記することもある）が生じ、最終的に得られる炭素繊維強化複合材料の性能や品位の低下を招くことがあった。
【０００８】
そのため、ラージトウを、金属製のバーなどを用いて機械的な摩擦や擦過により開繊処理する工程において、擦過回数を増やしたり、繊維束に高張力を付与することが必要となるが、過剰な擦過により、繊維束に毛羽が発生したり、単繊維の糸切れが発生する原因となり易い。
【０００９】
炭素繊維に付与するサイジング剤の性質も開繊性に大きく影響する。サイジング剤が高い粘着性を有する場合、開繊工程に設置される金属製ガイドバーの表面や、多軸積層編物シート状基材を製造する際のステッチ処理に用いるステッチ針の表面に、炭素繊維に付与したサイジング剤が転写・堆積して、この堆積物により、繊維束に毛羽がさらに発生することがある。
【００１０】
このため、高開繊性を要求される炭素繊維束、特にラージトウ炭素繊維束に付与するサイジング剤には、平滑性（＝耐擦過性、耐毛羽立ち性）と収束性を両立させることが課題であった。
【００１１】
上記の課題を解決するために、例えば特許文献１には、優れた耐擦過性を有するものとして、常温において液状のビスフェノールＡ型エポキシ樹脂と、常温において固形のビスフェノールＡ型エポキシ樹脂と、不飽和二塩基酸とビスフェノールＡのアルキレンオキシド付加物との縮合物である不飽和ポリエステル樹脂と、ステアリン酸エステルを必須成分とするサイジング剤が提案されている。
【００１２】
しかしながら、特許文献１に記載のサイジング剤を、ラージトウに適用しても、耐擦過性を向上させることは出来ても、そのトウボリュームの大きさから、収束性との両立は難しい場合があった。また、マトリックス樹脂がラジカル重合系の場合、得られる炭素繊維複合材料の機械特性は必ずしも十分なものとは言えない場合があった。
【００１３】
また、特許文献２には、エポキシ基を１つ以上含有するエステル樹脂、ウレタンアクリレート、アニオン系乳化剤、および少量のノニオン系乳化剤からなるサイジング剤が提案されている。
【００１４】
特許文献２に記載のサイジング剤は、不飽和ポリエステル樹脂、ビニルエステル樹脂、アクリル樹脂などのラジカル重合系樹脂に対する接着性に優れ、エポキシ樹脂をマトリックス樹脂とする複合材料と同等の性能を提供可能なものである。また、エポキシ樹脂との適合性も良いこともあり、広範囲の熱硬化性樹脂との組み合わせた複合材料で優れた機械的強度を発現可能とするものであるが、やはりラージトウに適用した場合には、上述したような耐擦過性と収束性との両立が難しい場合があった。
【先行技術文献】
【特許文献】
【００１５】
【特許文献１】特開平０７−１９７３８１号公報
【特許文献２】特開２００８−９５２４１号公報
【発明の概要】
【発明が解決しようとする課題】
【００１６】
本発明は、上記事情に鑑みてなされたものであって、高平滑性を有し、炭素繊維束の高次加工工程における優れた工程通過性を示し、特にラージトウに付与した場合にも、この効果が十分に発揮され、かつマトリックス樹脂、特にラジカル重合系樹脂を用いて複合化した際の機械物性向上効果に優れる炭素繊維束を得ることができる炭素繊維用サイジング剤を提供することを目的とする。また、複合材の機械物性向上効果に優れた炭素繊維束、ならびに炭素繊維束を有するシート状基材、さらには機械物性に優れた炭素繊維強化複合材を提供することを目的とする。
【課題を解決するための手段】
【００１７】
本発明は、下記（１）〜（４）を満足する炭素繊維用サイジング剤に関する。
（１）前記炭素繊維用サイジング剤が下記（Ａ）〜（Ｄ）を含有する。
・分子中に複数個のエポキシ基を有するエポキシ化合物と不飽和一塩基酸とのエステル化合物であって、分子中に少なくとも１つのエポキシ基を有する化合物（Ａ）
・硬化物の引張伸び率が４０％以上の２官能タイプの、ウレタンアクリレートオリゴマー化合物（Ｂ）
・ステアリン酸エステル化合物（Ｃ）
・界面活性剤（Ｄ）
（２）前記化合物（Ａ）と前記ウレタンアクリレートオリゴマー（Ｂ）との含有量の質量比が、ウレタンアクリレートオリゴマー（Ｂ）／化合物（Ａ）の比として、１／３以上２／１以下。
（３）全サイジング成分中に占める前記化合物（Ａ）および前記ウレタンアクリレートオリゴマー（Ｂ）の合計量の割合が２０質量％以上。
（４）全サイジング成分中に占める前記ステアリン酸エステル化合物（Ｃ）の割合が、５質量％以上３０質量％以下。
【００１８】
さらに、本発明のサイジング剤は、下記（５）及び（６）を満足するものであっても良い。
（５）ビスフェノール類のアルキレンオキシド付加物とジカルボン酸化合物とのエステルであって、その酸価が５０以上であるエステル化合物（Ｅ）を含む。
（６）前記エステル化合物（Ｅ）の含有量が、前記化合物（Ａ）および前記ウレタンアクリレートオリゴマー（Ｂ）の合計量の２．０質量倍以下。
【００１９】
また、本発明は、前記炭素繊維用サイジング剤が付着量０．６質量％以上２．０質量％以下で付着した炭素繊維束に関する。
【００２０】
また、本発明は前記炭素繊維束を含むシート状基材、前記炭素繊維束からなる炭素繊維強化複合材、前記シート状基材からなる炭素繊維強化複合材に関する。
【発明の効果】
【００２１】
本発明によれば、高平滑性を有し、炭素繊維束の高次加工工程における優れた工程通過性を示し、特にラージトウに付与した場合にも、この効果が十分に発揮され、かつマトリックス樹脂、特にラジカル重合系樹脂を用いて複合化した際の機械物性向上効果に優れる炭素繊維束を得ることができる炭素繊維用サイジング剤およびサイジング剤の水分散液を提供することを目的とする。また、複合材の機械物性向上効果に優れた炭素繊維束、ならびに炭素繊維束を有するシート状物、さらには機械物性に優れた炭素繊維強化複合材が提供される。
【発明を実施するための形態】
【００２２】
＜炭素繊維用サイジング剤＞
本発明の炭素繊維用サイジング剤は、以下に詳述する（Ａ）〜（Ｄ）を含む。このサイジング剤は、各成分を適宜混合することにより得ることができる。
【００２３】
＜化合物（Ａ）＞
本発明の炭素繊維用サイジング剤に含まれる化合物（Ａ）は、分子中に少なくとも１つのエポキシ基を有する化合物である。化合物（Ａ）は、分子中に複数個のエポキシ基を有するエポキシ化合物と、不飽和一塩基酸とが反応してなるエステル化合物のことをいう。なお、本願発明において、エポキシ基とは、環骨格が２個の炭素原子と１個の炭素原子とから構成される３員環をその構造中に有する基を意味する。具体的には、下記一般式（ｅ１）で表される官能基、下記一般式（ｅ２）で表される官能基（グリシジル基）、その他の環式脂肪族エポキシ基などが挙げられる。その他の環式脂肪族エポキシ基としては、前記３員環と、単環または多環式の脂肪族環とで形成される環状構造をその構造中に有する基が挙げられ、たとえば下記一般式（ｅ３）〜（ｅ５）で表される官能基が例示できる。
【化１】
2016160549.tif 000002
【００２４】
＜分子中に複数個のエポキシ基を有するエポキシ化合物＞
前記化合物（Ａ）において、前記の分子中に複数個のエポキシ基を有するエポキシ化合物としては、特に限定されず、たとえばビスフェノール類のエポキシ化合物、ビスフェノール類のアルキレンオキシド付加エポキシ化合物、水素化ビスフェノール類のエポキシ化合物、水素化ビスフェノール類のアルキレンオキシド付加エポキシ化合物等が挙げられる。これらビスフェノール類としては、特に限定されるものではなく、ビスフェノールＦ型、ビスフェノールＡ型、ビスフェノールＳ型などの化合物が挙げられる。ビスフェノール類のエポキシ化合物以外のフェノールノボラック型、クレゾールノボラック型、ジフェニル型、ジシクロペンタジエン型、ナフタレン骨格型などのエポキシ樹脂を用いることもできる。また、直鎖脂肪族系骨格を有するものであっても良い。
【００２５】
＜不飽和一塩基酸＞
前記化合物（Ａ）において、前記の不飽和一塩基酸としては、特に限定はなく、一つの不飽和基と一つのカルボキシル基を有する化合物であれば良い。不飽和基としては、特に限定はないが、嵩高くないこと、形成されるエステルの主鎖の剛直性を低下させないことから、ビニル基あるいはプロペニル基が好ましく、より好ましくは、ビニル基である。特に好ましいのは、アクリル酸またはメタクリル酸である。すなわち、化合物（Ａ）は、前記エポキシ化合物とアクリル酸またはメタクリル酸とのエステルであることが好ましい。
【００２６】
前記化合物（Ａ）は、エポキシ基を複数個有する化合物と不飽和一塩基酸とを反応させて得られるエステル化合物であり、この反応においては、エポキシ基を複数個有する化合物のエポキシ基のうち、少なくとも１つのエポキシ基が未反応のまま残留し、少なくとも１つのエポキシ基が不飽和一塩基酸によって開環し、不飽和基を有する、いわゆるハーフエステルが形成される。かかる化合物（Ａ）は、分子中に、エポキシ基を複数個有する化合物に由来するエポキシ基と、不飽和一塩基酸に由来する不飽和基（たとえばアクリル酸に由来するＣＨ２＝ＣＨ−ＣＯＯ−）とを有しており、これによって、炭素繊維表面と樹脂分子の間でのカップリング機能を発揮し、炭素繊維と樹脂との間の界面接着性を大きく向上させる。特に、不飽和ポリエステル樹脂、ビニルエステル樹脂、アクリル樹脂などのラジカル重合系樹脂と炭素繊維とを強力に結合させることができ、優れた界面接着性を発現させることができる。
【００２７】
特に、界面接着性を発現させることに優れることから、分子の両末端にエポキシ基を有する化合物と、不飽和一塩基酸とのエステル化合物であって、分子主鎖の片方の端部に不飽和基を有し、他方の端部にエポキシ基をそれぞれ有する化合物が好ましい。このような化合物（Ａ）を用いることにより、ラジカル重合系樹脂と炭素繊維とを強力に結合させることができ、優れた界面接着性を発現させることができる。
【００２８】
分子の両末端にエポキシ基を有する化合物としては、特に、ビスフェノール類のジエポキシ化合物およびビスフェノール類のアルキレンオキシド付加ジエポキシ化合物のいずれか一方又は両方を用いることが好ましい。すなわち、化合物（Ａ）は、ビスフェノール類のジエポキシ化合物及びビスフェノール類のアルキレンオキシド付加ジエポキシ化合物のいずれか一方又は両方と、不飽和一塩基酸とのエステルであって、分子主鎖の片方の端部に不飽和基を有し、他方の端部にエポキシ基をそれぞれ有する化合物であることが好ましい。本発明において、化合物（Ａ）としては、１種のエステル化合物を単独で用いてもよく、２種以上のエステル化合物を併用してもよい。
【００２９】
＜化合物（Ｂ）＞
本発明の炭素繊維用サイジング剤は、２官能タイプのウレタンアクリレートオリゴマー（Ｂ）（以下、「化合物（Ｂ）」という）を含む。
【００３０】
前記化合物（Ｂ）は、マトリックス樹脂と炭素繊維との界面に、柔軟性に優れた界面相を形成することにより、マトリックス樹脂と炭素繊維との間の界面接着性が向上する効果を奏する。また、繊維強化複合材料用のマトリックス樹脂として、ビニルエステル樹脂、不飽和ポリエステル樹脂等のラジカル重合系樹脂には靭性の低いものが多く、界面相の柔軟化に起因する高靭性化により、飛躍的に界面接着性が向上する。
【００３１】
また、サイジング剤が付着した炭素繊維とマトリックス樹脂とを複合化する際に、炭素繊維表面のサイジング剤成分が、マトリックス樹脂へと拡散し、特に界面付近のマトリックス樹脂中に、サイジング剤成分を高濃度に含む領域が形成される。この領域は、複合材料の機械特性に影響を及ぼす。そして、化合物（Ｂ）が、ウレタンアクリレートオリゴマーであることから、繊維強化複合材料を形成する際、マトリックス樹脂の硬化反応に組み込まれることとなり、界面相とマトリックス樹脂相との一体化が図られる。そのため、この化合物（Ｂ）を含むことにより、ラジカル重合系樹脂をマトリックス樹脂とする場合であっても、繊維強化複合材料の機械的特性を、エポキシ樹脂をマトリックス樹脂とする場合と同等なレベルにすることができる。
【００３２】
前記化合物（Ｂ）は、以下の測定方法で求めた硬化物の引張伸び率が４０％以上とすることが好ましい。上記界面相の高靭性化の効果に優れることから、この引張伸び率が４５％以上であることがより好ましく、５０％以上がより好ましい。引張伸び率（％）の上限としては、界面近傍樹脂の弾性率の大幅な低減を考慮すると、９００％以下が好ましく、７００％以下がより好ましい。
【００３３】
また、前記化合物（Ｂ）は２官能である必要がある。３官能以上のタイプであると、架橋密度が高くなりすぎ、充分な高靭性化が発現しない。一方、１官能タイプでは、マトリックス樹脂との架橋反応が片側のみとなり、充分な高靭性化の効果が得ることができない。
【００３４】
さらに、界面相の靭性向上効果が大きいことから、前記化合物（Ｂ）は、６０℃での粘度が５，０００ｍＰａ・ｓ以上であり、その硬化物の引張強度が６ＭＰａ以上のものが好ましい。粘度が大きいことは、そのオリゴマーの分子量が大きいこと、またはオリゴマー分子間の凝集力が大きいことを示す。分子量が大きい場合、あるいは分子間の凝集力が大きい場合、化合物（Ｂ）が、マトリックス樹脂へと拡散することなく、炭素繊維表面とマトリックス樹脂との界面相に偏在し、結果、界面相の効果的な柔軟化が成しえるので好ましい。なお、硬化物の引張強度および引張伸び率は以下の測定方法で求めることができる。
＜硬化物の引張強度および引張伸び率の測定方法＞
１）ウレタンアクリレートオリゴマー（Ｂ）９７ｇと、硬化剤（２−ヒドロキシ−２−メチル−１−フェニル−プロパン−１−オン）３ｇの混合物をガラス板上に塗布し、厚み１００μｍの皮膜を得る。その皮膜を、オゾンタイプランプ（８０Ｗ／ｃｍ）を使って、皮膜から１０ｃｍ離れた位置から紫外線を５秒間照射して硬化する。
【００３５】
２）硬化した皮膜を用いて、ＪＩＳ  Ｋ７１２７に準拠（試験片タイプ５）し、引張り速度３００ｍｍ／ｍｉｎで引張強度および引張伸び率を測定する。
【００３６】
前記化合物（Ｂ）の６０℃での粘度は、１０，０００ｍＰａ・ｓ以上がより好ましく、２０，０００ｍＰａ・ｓ以上がさらに好ましい。粘度の上限としては、６０℃で固状でないほうが、サイジング剤の調製やサイジング剤の経時安定性の面から優れている。なお、化合物（Ｂ）の粘度はＢ型粘度計で測定できる。
【００３７】
本発明の炭素繊維用サイジング剤に含まれる化合物（Ｂ）の硬化物のガラス転移温度（Ｔｇ）は、−５℃以上が好ましく、５℃以上がより好ましい。硬化物のＴｇが−５℃以上であれば、界面相により適正な柔軟化が図れるのみならず、破断に至る応力の値も大きくなり、そのため、より強固な界面相が形成でき、上記効果が向上する。つまり、界面相は、強化繊維を支える機能があり、柔軟化を適度に抑えることによって複合材料の機械的特性を良好に保つことが容易となる。硬化物のＴｇの上限としては、柔軟成分としての機能を考慮すると、１００℃以下が好ましく、８０℃以下がより好ましい。
【００３８】
ウレタンアクリレートオリゴマーの硬化物のＴｇは、引張伸び率の測定と同じ方法で得られた硬化皮膜を試験片として、粘弾性測定装置（ＵＢＭ社製、製品名：Ｒｈｅｏｇｅｌ  Ｅ４０００）を用いて、２℃／分の割合で昇温させ、試験片の動的粘弾性および損失正接を測定し、損失正接のピーク温度（ｔａｎδＭＡＸ）から求めることができる。
【００３９】
本発明において、「ウレタンアクリレートオリゴマー」とは、分子内にウレタン結合とアクリロイル基（ＣＨ２＝ＣＨ−ＣＯ−）とを有する化合物である。ウレタンアクリレートオリゴマーの構造は、その構造中に芳香族基を有する芳香族系のものと、芳香族基を有さない脂肪族系のものとに大別できる。本発明に用いるウレタンアクリレートオリゴマーの構造は特に限定されず、芳香族系であってもよく、脂肪族系であってもよい。硬化物の引張伸び率と引張強度のバランスが良好であることから、脂肪族系であることが好ましい。
【００４０】
本発明の炭素繊維用サイジング剤に含まれる化合物（Ｂ）としては、市販のウレタンアクリレートオリゴマーを利用してもよく、かかるウレタンアクリレートオリゴマーとしては、たとえばサートマー社製のＣＮ−９６５、ＣＮ−９８１、ＣＮ−９１７８、ＣＮ−９７８８、ＣＮ−９８９３、ＣＮ−９７１、ＣＮ−９７３、ＣＮ−９７８２、共栄社化学製のＵＦ−８００１、新中村化学工業社製のＵＡ−１２２Ｐ等が挙げられる（いずれも製品名）。
本発明において、化合物（Ｂ）は、１種を単独で用いてもよく、２種以上を併用してもよい。
【００４１】
＜化合物（Ａ）および化合物（Ｂ）の含有量＞
本発明のサイジング剤においては、化合物（Ａ）と化合物（Ｂ）との含有量の比（質量比）が、化合物（Ｂ）／化合物（Ａ）＝１／３〜２／１の範囲内であることが必要である。化合物（Ｂ）の含有量が、化合物（Ａ）の含有量の１／３未満であると、界面相の柔軟化・高靭性化が不充分となり、一方、２／１を越えると、化合物（Ａ）の機能である良接着性発現効果が阻害され、炭素繊維の、マトリックス樹脂との接着性向上効果が充分に得られない。化合物（Ａ）と化合物（Ｂ）との含有量の比は、化合物（Ｂ）／化合物（Ａ）＝１／２〜３／２であることが好ましく、２／３〜１／１がより好ましい。
【００４２】
また、本発明のサイジング剤においては、全サイジング成分中に占める化合物（Ａ）および化合物（Ｂ）の合計量の割合が２０質量％以上であることが必要である。２０質量％未満では、この２つの成分の機能が充分に発揮されず、本発明の効果が得られない。
【００４３】
ここで、「全サイジング成分」とは、当該サイジング剤に含まれる成分のうち、サイジング処理後に炭素繊維に付与される全成分の合計量であり、たとえば水や有機溶剤等の、サイジング後に除去される成分は含まれない有効成分を表す。すなわち、「全サイジング成分」は、上述した化合物（Ａ）および化合物（Ｂ）、後述するステアリン酸エステル化合物（Ｃ）、および界面活性剤（Ｄ）と、任意成分として後述するエステル化合物（Ｅ）、およびその他の成分との合計量として求めることができる。化合物（Ａ）および化合物（Ｂ）の合計量の割合は、全サイジング成分中、２５質量％以上が好ましく、３０質量％以上がより好ましい。
【００４４】
＜化合物（Ｃ）＞
本発明の炭素繊維用サイジング剤は、ステアリン酸エステル化合物（Ｃ）（以下、「化合物（Ｃ）」という）を必須成分とする。化合物（Ｃ）はステアリン酸エステル化合物であり、炭素繊維束の平滑性を向上させることができる。
【００４５】
ステアリン酸エステル化合物としては、ステアリン酸と各種アルコールとのエステルが使用できるが、メチルステアレート、エチルステアレート、プロピルステアレート、ブチルステアレート、オクチルステアレート、ステアリルステアレート、オレイルステアレート、トリデシルステアレート、ヘキサデシルステアレート、エチルヘキシルステアレート等が好ましく使用される。
【００４６】
本発明の炭素繊維用サイジング剤では、全サイジング成分中に占める化合物（Ｃ）の割合は５質量％以上３０質量％以下であることが好ましい。５質量％以上であれば、炭素繊維束に良好な平滑性を付与することができる。３０質量％以下であれば、ラージトウに適用した場合でも収束性が過度に低下することなく、良好な取り扱い性が得られやすく、マトリックス樹脂との接着性を阻害することもないので、良好な機械強度を得ることができる。全サイジング成分中に占める化合物（Ｃ）の割合は、７質量％以上２５質量％以下であることが好ましく、更に好ましくは１０質量％以上２０質量％以下である。
【００４７】
＜化合物（Ｄ）＞
本発明のサイジング剤は、さらに、界面活性剤（Ｄ）（以下、「化合物（Ｄ）」という）を含有することが好ましい。前記化合物（Ｄ）は、上述した化合物（Ａ）、化合物（Ｂ）および化合物（Ｃ）、後述する任意成分である化合物（Ｅ）、およびその他の成分を水に分散させるために用いるものである。化合物（Ｄ）は、１種を単独で用いてもよく、２種以上を併用してもよい。
【００４８】
本発明の炭素繊維用サイジング剤に含まれる化合物（Ｄ）としては、ノニオン系界面活性剤、アニオン系界面活性剤が挙げられる。ノニオン系界面活性剤としては、例えば脂肪族ノニオン、フェノール系ノニオンなどの界面活性剤を利用することができる。脂肪族ノニオン系界面活性剤としては、高級アルコールエチレンオキサイド付加物、脂肪酸エチレンオキサイド付加物、多価アルコール脂肪酸エステルエチレンオキサイド付加物、グリセロールの脂肪酸エステル、ソルビトールおよびソルビタンの脂肪酸エステル、ペンタエリスリトールの脂肪酸エステルなどが挙げられる。フェノール系ノニオン界面活性剤としては、アルキルフェノール系ノニオン、多環フェノール系ノニオンなどが挙げられる。
【００４９】
また、エチレンオキサイド付加物としては、ポリエチレンオキサイド鎖中の一部にプロピレンオキサイドユニットをランダムあるいはブロック状に具備させたタイプのものが好適である。脂肪酸エチレンオキサイド付加物や多価アルコール脂肪酸エステルエチレンオキサイド付加物としては、モノエステルタイプ、ジエステルタイプ、トリエステルタイプ、テトラエステルタイプなどのノニオン系界面活性剤を使用できる。
【００５０】
本発明の炭素繊維用サイジング剤に含まれる化合物（Ｄ）として、アンモニウムイオンを対イオンとして有するアニオン系界面活性剤（以下、適宜「（Ｄ−１）成分」と略する）、及び後述するノニオン系界面活性剤（以下、適宜「（Ｄ−２）成分」と略する）を含有することが好ましい。
【００５１】
前記アンモニウムイオンを対イオンとして有するアニオン系界面活性剤である（Ｄ−１）成分は、疎水基と、対イオンとしてアンモニウムイオンを有することにより、本発明の炭素繊維用サイジング剤を水分散液とした際の安定性と、炭素繊維表面の樹脂に対する濡れ性を向上させる。また、（Ｄ−２）成分は、（Ｄ−１）成分のアンモニウムイオンと、化合物（Ａ）のエポキシ基との反応活性を抑制する効果を有する。そのため、（Ｄ−１）成分と（Ｄ−２）成分とを適量含有することにより（含有量については後に詳述する）、各種マトリックス樹脂の含浸性がさらに向上し、また、サイジング剤で処理された炭素繊維の硬さの経時変化を非常に小さくすることができる。
【００５２】
（Ｄ−１）成分としては、特に限定はなく、カルボン酸塩、硫酸エステル塩、スルホン酸塩、リン酸エステル塩などを挙げることができる。この中でも、硫酸エステル塩、スルホン酸塩は、化合物（Ａ）や化合物（Ｂ）を乳化させる能力に特に優れるのでさらに好ましい。
【００５３】
前記硫酸エステル塩としては、高級アルコール硫酸エステル塩、高級アルキルポリエチレングリコールエーテル硫酸エステル塩、アルキルベンゼンポリエチレングリコールエーテル硫酸エステル塩、多環フェニルエーテルポリエチレングリコールエーテル硫酸エステル塩、硫酸化脂肪酸エステル塩などが挙げられる。又、高級アルキルポリエチレングリコールエーテル硫酸エステル塩、アルキルベンゼンポリエチレングリコールエーテル硫酸エステル塩、多環フェニルエーテルポリエチレングリコールエーテル硫酸エステル塩におけるポリエチレンオキサイド鎖中の一部に、プロピレンオキサイドユニットをランダム又はブロック状に含有したものも用いることもできる。
【００５４】
前記スルホン酸塩としては、アルキルベンゼンスルホン酸塩、アルキルナフタレンスルホン酸塩、多環フェニルエーテルスルホン酸塩、アルキルスルホン酸塩、α−オレフィンスルホン酸塩、α−スルホン化脂肪酸塩、ジアルキルスルホコハク酸塩などが挙げられる。
【００５５】
特に、下記一般式（１）または（２）で表される疎水基を有するアニオン系界面活性剤が、（Ｄ−１）成分としてさらに好ましく用いられる。
【００５６】
【化２】
2016160549.tif 000003
【００５７】
炭素繊維強化複合材料においては、炭素繊維とマトリックス樹脂との複合化により、優れた機械物性を発現することが望まれるので、マトリックス樹脂には、剛直性の点から、芳香族骨格を有するものが主に用いられ、炭素繊維用サイジング剤には、芳香族骨格を有する化合物を主成分として用いられることが多い。前記一般式（１）または（２）で表される疎水基は、芳香族系物質との親和性が高いため、（Ｄ−１）成分として、一般式（１）または（２）で表される疎水基を有するアニオン系界面活性剤を炭素繊維用サイジング剤に含有することにより、乳化状態が安定し、貯蔵性、炭素繊維製造時の製造・工程で良い結果をもたらす。また、サイジング剤とマトリックス樹脂との相溶性が向上し、本発明の効果、特に機械物性向上効果がさらに向上する。
【００５８】
また、前記一般式（１）または（２）で表される疎水基を有するアニオン系界面活性剤は、外因性内分泌撹乱物質誘導体の拡散を防止する観点から、ノニルフェノール系や、オクチルフェノール系といった比較的長いアルキル基を有するフェノール基を有するアニオン系界面活性剤の使用を避けることが望まれてきていることからも好ましい。
【００５９】
前記一般式（１）、（２）中、Ｒ１は、水素原子または炭素数１〜３の１価の鎖状炭化水素基であり、水素原子または炭素数１〜３のアルキル基が好ましく、水素原子またはメチル基がさらに好ましく、外因性内分泌撹乱物質誘導体の観点から、水素原子がより好ましい。Ｒ２およびＲ３は、水素原子または炭素数１〜３の１価の鎖状炭化水素基であり、それぞれ同一であってもよく、異なっていてもよい。Ｒ２およびＲ３の鎖状炭化水素基としては、Ｒ１の鎖状炭化水素基と同じものが挙げられる。Ｒ４は２価の脂肪族系炭化水素基であり、たとえば炭素数１〜１０の直鎖状または分岐状のアルキレン基等が挙げられる。ｍは正の整数を表し、１〜３の整数が好ましく、１または２がより好ましい。ｍが３以下であれば、疎水基自体が嵩高い構造となることを容易に防ぐことができ、化合物（Ａ）や化合物（Ｂ）、マトリックス樹脂との親和性、相溶性を良好にすることが容易である。その結果、乳化の安定性、樹脂含浸性、さらには繊維強化複合材料の機械物性等を良好にすることが容易である。下付き文字ｍが付された括弧内の基は、疎水基部の分子の嵩高さの点から、ベンジル基（Ｒ２およびＲ３の両方が水素原子である基）あるいはスチレン基（Ｒ２およびＲ３の一方が水素原子、他方がメチル基である基）であることが好ましい。また、ｍが２以上である場合、つまり下付き文字ｍが付された括弧内の基が複数存在する場合、それらの基は同じであってもよく、異なっていてもよい。
【００６０】
また、界面活性剤（Ｄ）としては市販品を用いることができる。
【００６１】
ノニオン系界面活性剤としては、例えば日本乳化剤株式会社製の「ニューコール７０７」、「ニューコール７２３」、「ニューコール７０７−Ｆ」などが挙げられる。
【００６２】
アニオン系界面活性剤（（Ｄ−１）成分）としては、例えば日本乳化剤株式会社製の「ニューコール７０７−ＳＦ」、「ニューコール７２３−ＳＦ」、第一工業製薬株式会社製の「ハイテノールＮＦ−１３」、「ハイテノールＮＦ−１７」などが挙げられる（いずれも製品名）。
【００６３】
ノニオン系界面活性剤（（Ｄ−２）成分）としては、特に限定はされる化合物はないが、反応活性低下作用が非常に優れることから、脂肪族系ノニオン系界面活性剤が好ましい。脂肪族ノニオン系界面活性剤としては、高級アルコールエチレンオキサイド付加物、脂肪酸エチレンオキサイド付加物、多価アルコール脂肪酸エステルエチレンオキサイド付加物、グリセロールの脂肪酸エステル、ソルビトールおよびソルビタンの脂肪酸エステル、ペンタエリスリトールの脂肪酸エステルなどが挙げられる。これらエチレンオキサイド付加物においては、ポリエチレンオキサイド鎖中の一部にプロピレンオキサイドユニットをランダムあるいはブロック状に含有したタイプも好適に用いられる。
【００６４】
高級アルコールエチレンオキサイド付加物、脂肪酸エチレンオキサイド付加物、多価アルコール脂肪酸エステルエチレンオキサイド付加物としては、これらのポリエチレンオキサイド鎖中の一部にプロピレンオキサイドユニットをランダム又はブロック状に含有したものがより好ましい。なぜならば、これらはアンモニウムイオンのエポキシ基に対する反応活性を低下させる能力が優れているためである。脂肪酸エチレンオキサイド付加物、多価アルコール脂肪酸エステルエチレンオキサイド付加物としては、モノエステルタイプのもの、ジエステルタイプさらにはトリエステル、テトラエステルタイプのものなども利用できる。
【００６５】
また、（Ｄ−２）成分も市販品を用いることができ、例えば、青木油脂株式会社製の「ファインサーフＦＯＮ１８０Ｅ０６（製品名）」が挙げられる。
【００６６】
化合物（Ｄ）の含有量は、サイジング剤が水中に分散した水分散液の安定性やサイジング剤のサイジング効果を勘案して適宜決定することができるが、目安としてサイズ剤１００質量％中、５〜３０質量％が好ましく、１０〜２５質量％がより好ましい。界面活性剤の含有量が５質量％以上であれば、サイジング剤が水中に分散した水分散液の安定性を良好にすることが容易であり、３０質量％以下であれば、サイジング剤の効果を発現させることが容易である。
＜（Ｄ−１）成分および（Ｄ−２）成分の含有量＞
本発明のサイジング剤は、（Ｄ−１）成分と（Ｄ−２）成分とを含有する場合、（Ｄ−１）成分と（Ｄ−２）成分との含有量の比（質量比）が、（Ｄ−２）成分／（Ｄ−１）成分＝１／１０〜１／５の範囲内であることが好ましい。
【００６７】
前記質量比がこの範囲であれば、化合物（Ｄ）に由来するアンモニウムイオンの、化合物（Ａ）のエポキシ基に対する反応活性を抑制することが容易になり、その結果、サイジング剤を付着させた炭素繊維の硬さのが急激に変化することを抑制できる。さらに、水等を媒体としてサイジング剤を乳化させた際の乳化安定性や、サイジング処理された炭素繊維表面の、樹脂に対する濡れ性が向上するので好ましい。
【００６８】
また、本発明のサイジング剤においては、（Ｄ−１）成分と（Ｄ−２）成分とを含有する場合には、全サイジング成分中に占める（Ｄ−１）成分および（Ｄ−２）成分の合計量の割合が１０〜２５質量％であることが好ましい。上記範囲内であると、サイジング剤液の乳化安定性が非常によく、サイジング剤の効果を発揮することが容易である。（Ｄ−１）成分および（Ｄ−２）成分の合計量の更に好ましい下限値は１３質量％であり、更に好ましい上限値は２０質量％である。
＜化合物（Ｅ）＞
本発明の炭素繊維用サイジング剤は、上述した化合物（Ａ）〜（Ｄ）に加えて、さらに、ビスフェノール類のアルキレンオキシド付加物と、ジカルボン酸化合物とのエステル化合物であって、酸価が５０以上であるエステル化合物（Ｅ）（以下、適宜「化合物（Ｅ）」と略する）を含有しても良い。
【００６９】
前記化合物（Ｅ）は、分子量が１０００程度で、分子の一方の末端にカルボキシル基を有する化合物を主要構成成分としていることが好ましい。このような化合物（Ｅ）は、マトリックス樹脂、特にエポキシ樹脂やビニルエステル樹脂と優れた相溶性を示すため、サイジング処理された炭素繊維の樹脂に対する濡れ性が向上し、樹脂含浸性がさらに向上する。
【００７０】
前記「ビスフェノール類のアルキレンオキシド付加物」としては、ビスフェノール類１モルに対して、エチレンオキシド又はプロピレンオキシドを２〜４モル付加した化合物が好ましい。ビスフェノール類１モルに対するエチレンオキシド又はプロピレンオキシドの付加量が４モル以下であると、ビスフェノール類が本来有する分子鎖の剛直性を損なうことなく、マトリックス樹脂との親和性を良好にすることが容易である。より好ましくは、ビスフェノール類にエチレンオキシド又はプロピレンオキシドを２モル付加したものである。ビスフェノール類のアルキレンオキシド付加物は、１種単独でもよく、また複数の化合物を混合したものであってもよい。
【００７１】
前記「ジカルボン酸化合物」は、炭素数が４〜６の脂肪族化合物が好ましい。ジカルボン酸化合物として芳香族化合物を用いると、得られるエステル化合物の融点が相対的に高く、マトリックス樹脂との溶解性が相対的に劣る傾向がある。ジカルボン酸化合物として脂肪族化合物を用いると、炭素繊維に対するマトリックス樹脂の濡れ性が良好になるので好ましい。また、炭素数が６以下の脂肪族化合物をジカルボン酸化合物として用いると、得られるエステル化合物の剛直性を損なうことなく、マトリックス樹脂との親和性を良好にすることが容易である。
【００７２】
ジカルボン酸化合物としては、たとえばフマル酸、マレイン酸、メチルフマル酸、メチルマレイン酸、エチルフマル酸、エチルマレイン酸、グルタコン酸、イタコン酸、マロン酸、コハク酸、メチルコハク酸、グルタル酸、アジピン酸などが挙げられる。
【００７３】
本発明の炭素繊維用サイジング剤に加えることができる化合物（Ｅ）は、１種を単独で用いてもよく、２種以上を併用してもよい。本発明のサイジング剤においては、化合物（Ｅ）の質量の、化合物（Ａ）と化合物（Ｂ）との合計質量に対する比（化合物（Ｅ）／［化合物（Ａ）＋化合物（Ｂ）］）が２．０以下であることが好ましい。２．０倍以下であると、化合物（Ａ）のエポキシ基−化合物（Ｅ）の酸性基（カルボキシ基等）の相互作用によって化合物（Ａ）―炭素繊維表面間の相互作用が低減することを、容易に防止できる。その結果、化合物（Ａ）によるサイジング剤のカップリング機能が容易に発揮され、炭素繊維とマトリックス樹脂との接着性が良好なものとなる。この比は、１．７５以下がより好ましく、１．５５以下がさらに好ましい。この比の下限値は、特に制限はないが、サイジング処理された炭素繊維の樹脂に対する濡れ性、樹脂含浸性を向上させる化合物（Ｅ）による効果を発揮させるためには、０．２以上がより好ましく、０．４以上がさらに好ましい。
【００７４】
＜炭素繊維用サイジング剤の水分散液＞
本発明の炭素繊維用サイジング剤の水分散液は、各成分を常法により混合、撹拌（乳化、水分散化）することにより得ることができる。前記水分散液中のサイジング剤濃度（不揮発成分の濃度）、すなわちサイジング用水分散液中の揮発成分（サイジング後に乾燥除去される水など）以外の成分の濃度は、水が連続相として存在する濃度範囲であれば特に限定されるものではなく、通常は１０〜５０質量％が用いられる。サイジング用水分散液の調製段階で、サイジング剤濃度を１０質量％未満としても問題はないが、サイジング用水分散液中の水の占める割合が大きくなり、サイジング用水分散液の調製から使用（炭素繊維のサイジング処理）までの間の運搬・保管などの面で不経済となる場合がある。そのため、炭素繊維のサイジング処理するに際しては、サイジング剤の炭素繊維への付着量が所望の値となるように、サイジング用水分散液を０．１〜１０質量％程度に希釈して、炭素繊維に付着させる方法が一般的である。
【００７５】
＜炭素繊維用サイジング剤が付着した炭素繊維束＞
本発明の炭素繊維用サイジング剤が付着した炭素繊維束（サイジング処理炭素繊維）に好適に用いることができる炭素繊維束は、ピッチ、レーヨンあるいはポリアクリロニトリルなどのいずれの原料物質から得られたものであってよく、高強度タイプ（低弾性率炭素繊維）、中高弾性炭素繊維又は超高弾性炭素繊維のいずれでもよい。炭素繊維用サイジング剤を付着させる方法は、例えば、サイジング剤の分散液をローラー浸漬法、ローラー接触法により炭素繊維に付着させ、乾燥することによって行うことができるが、生産性、均一付着性の観点においては、ローラー浸漬法が好ましい。
【００７６】
本発明の炭素繊維用サイジング剤が付着した炭素繊維束におけるサイジング剤の付着量は、炭素繊維とサイジング剤の合計質量に対して０．６質量％以上２．０質量％以下であることが好ましく、１．０質量％以上１．６質量％以下であることがより好ましい。サイズ剤の付着量が０．６質量％以上であれば、炭素繊維表面全体をサイズ剤で覆いつくすことが容易になる。また、平滑性と収束性を同時に炭素繊維束に付与することができる。さらには、炭素繊維強化複合材料を製造する際にサイジング処理炭素繊維とマトリックス樹脂を混合させたときに、上述した界面樹脂層による柔軟性や靭性等の機能発現性を存分に発揮させることができる。一方、サイズ剤の付着量が２．０質量％以下であれば、炭素繊維表面にサイズ剤が多く堆積してサイジング処理炭素繊維が硬くなる結果としてサイジング処理炭素繊維の取り扱い性やマトリックス樹脂の含浸性が低下することを、容易に抑制できる。
【００７７】
また、サイズ剤の付着量が上記範囲内であれば、炭素繊維強化複合材料において、マトリックス樹脂から界面樹脂層を介してサイジング処理炭素繊維に伝わる応力の伝達に不具合が生じて機械的特性が低下することを抑制できる。また、サイズ剤の付着量が上記範囲内であれば、炭素繊維の集束性や耐擦過性が優れたものになるとともに、マトリックス樹脂に対する濡れ性やマトリックス樹脂との間の界面接着力を十分に向上し、得られる炭素繊維強化複合材料に良好な力学的特性が備えられるようになる。
【００７８】
なお、サイジング処理される炭素繊維のフィラメント数、繊維径、表面皺などにより炭素繊維束の集束性は変化する。本発明においては、サイジング剤における各成分の割合を調節したり、或いはサイジング剤の付着量を調節することによって、好適な収束性とすることができる。サイジング剤の付着量は、サイジング処理におけるサイジング剤水分散液のサイジング剤濃度の調整や、絞り量調整によって調節することができる。
【００７９】
本発明の炭素繊維用サイジング剤が付着した炭素繊維束は、上記サイジング剤が付与されていることによって、機械的摩擦などによる毛羽やガイド類へのサイジング剤の堆積が発生しにくく、また樹脂の含浸性や接着性にも優れるものとなる。
【００８０】
また、特に、上記サイジング剤が化合物（Ｅ）を含有する場合、マトリックス樹脂と優れた相溶性を示す。そのため、サイジング処理された炭素繊維の樹脂に対する濡れ性が向上し、樹脂含浸性がさらに向上する。
【００８１】
（シート状基材）
本発明の炭素繊維用サイジング剤が付着した炭素繊維束は、製織等々の工程通過性に優れ種々のシート状基材に好適に用いることができる。たとえば、一方向配列シートのシート状基材、織布の形態とするシート状基材、あるいは複数の繊維束を並列に配置したシート状基材を複数枚含み、それぞれのシート状基材に含まれるトウ状の炭素繊維束の方向が、基準とする方向に対して、異なる角度をもって積層され、ステッチ糸で一体化された、いわゆる多軸積層編物シート基材のようなシート状基材に好適に加工することができる。特に織布シート状基材や多軸積層編物シート状基材への加工においては、通常、炭素繊維は擦過によって毛羽が発生し易いが、本発明の炭素繊維用サイジング剤が付着した炭素繊維束は、上記サイジング剤により著しく毛羽立ちを抑えることが可能となっている。
【００８２】
（炭素繊維強化樹脂組成物、シート状基材を含む複合材）
本発明の炭素繊維用サイジング剤が付着した炭素繊維束および本発明のシート状物は、マトリックス樹脂と複合化され、一方向プリプレグ、織物プリプレグ、編物プリプレグ、トウプレグ、短繊維強化樹脂含浸シート、短繊維マット強化樹脂含浸シートなどの形態で、炭素繊維強化樹脂組成物を構成することができる。マトリックス樹脂としては、特に限定されるものではないが、例えば、エポキシ樹脂、ラジカル重合系樹脂であるアクリル樹脂、ビニルエステル樹脂、不飽和ポリエステル樹脂、熱可塑性アクリル樹脂、さらにはフェノール樹脂などが挙げられる。
【００８３】
炭素繊維強化樹脂組成物は、本発明の炭素繊維用サイジング剤が付着した炭素繊維束もしくは本発明のシート状基材に、上記マトリックス樹脂を含浸させることにより製造できる。このような炭素繊維強化樹脂組成物の製造方法としては、通常行われている方法を採用することができる。例えば、ホットメルト法、ＲＴＭ法、溶剤法、シラップ法、又はシートモールドコンパウンド（ＳＭＣ）などに用いられる増粘樹脂法などの方法を挙げることができる。
【００８４】
本発明の炭素繊維用サイジング剤が付着した炭素繊維束もしくは本発明のシート状基材を用いた炭素繊維強化樹脂組成物は、前記サイジング処理炭素繊維が強化材として用いられているため、マトリックス樹脂として、エポキシ樹脂は勿論、アクリル樹脂、不飽和ポリエステル樹脂、ビニルエステル樹脂などのラジカル重合系樹脂、さらにはフェノール樹脂などとの含浸性に優れ、炭素繊維とマトリックス樹脂の界面接着力が強く、良好な力学的特性を示すものとすることができる。
【実施例】
【００８５】
以下、本発明を実施例により更に詳細に説明するが、本発明はこれによって限定されるものではない。
【００８６】
［実施例１］
（サイジング剤の調製）
ミキサー（特殊機化工業（株）製、製品名：ハイビスディスパーミックス、ホモミキサー仕様：型式３Ｄ−５型）を用い、以下の手順で、転相乳化することでサイジング剤を調製した。
【００８７】
表１の実施例１の欄に示す種類と配合量の、（Ｄ）成分以外の成分を、１２０℃にてプラネタリーミキサーとホモミキサーで混練、混合した。その後、混練しながら９０℃とし、引き続き、（Ｄ）成分の水溶液を少量ずつ添加した。この工程で、内容物の粘度は徐々に上昇した。（Ｄ）成分の水溶液を全て投入した後、１０分間、混練しながら６０℃とした。次に、脱イオン水を少量ずつ滴下して転相点を通過した後、滴下する水量を増加した。最終的にサイジング剤濃度４０質量％程度のサイジング剤水分散液を得た。
【００８８】
（サイジング処理炭素繊維の作製と工程通過性評価）
以下の手順で炭素繊維用サイジング剤が付着した炭素繊維を製造した。内部に浸漬ローラーを有する浸漬槽内に、濃度を５．０％に調節した上記サイジング剤の水分散液を満たし、該水分散液中に、サイジング剤を付与していない炭素繊維束（三菱レイヨン株式会社製、製品名：パイロフィルＴＲＷ４０  ５０Ｌ、フィラメント数５０，０００本、ストランド強度４，１００ＭＰａ、ストランド弾性率２４０ＧＰａ、繊維密度１．８１ｇ／ｃｍ３、繊維目付け３，７５０ｍｇ／ｍ）を浸漬した。その後、表面温度１５０℃の加熱ロールに６０秒間、接触させて乾燥することによってサイジング剤が付着した炭素繊維束を得た。なお、炭素繊維束はボビンに巻き取った。この際、加熱乾燥処理からボビンに巻き取るまでの工程において、サイジング処理工程通過性の評価を行った。加熱乾燥処理からボビンに巻き取るまでの工程において、毛羽の発生が無く、かつ工程間のロールへの繊維の巻き付きが無く、かつ工程間の固定ピンガイドにサイズ剤由来の堆積物の付着が無い場合を○、毛羽の発生が有る、あるいは工程間のロールへの繊維の巻き付きがある、あるいは工程間の固定ピンガイドにサイズ剤由来の堆積物の付着がある場合を×としてサイジング処理工程通過性を評価した。その結果を表１に示す。
【００８９】
（炭素繊維用サイジング剤が付着した炭素繊維束のサイジング剤付着量の測定）
炭素繊維用サイジング剤が付着した炭素繊維束を秤量（Ｗ１）し、５０リットル／分の窒素気流中、温度４５０℃に設定したマッフル炉（ヤマト科学株式会社製ＦＰ４１０）に１５分間静置し、炭素繊維束に付着したサイジング剤を完全に熱分解させる。そして、２０リットル／分の乾燥窒素気流中の容器に移し、１５分間冷却した後の炭素繊維束を秤量（Ｗ２）して、次式より付着量を求めた。その結果を表１に示す。
サイジング剤の付着量（質量％）
＝［Ｗ１（ｇ）−Ｗ２（ｇ）］／［Ｗ１（ｇ）］×１００
【００９０】
（多軸積層編物シート状基材の作製と工程通過性評価）
上記のようにして得た一方向シート状基材２枚を積層し、ついでポリエステル繊維を用いてステッチ処理による一体化を行った。この際、ステッチ糸が連続する方向を基準として、＋４５°／−４５°で２枚の一方向シート状基材を積層した。このステッチ処理工程において、工程通過性の評価を行った。ステッチ針表面におけるサイジング剤の堆積や毛羽の付着がなく、かつ得られた多軸積層編物シート状物において炭素繊維束間の隙間がなく、かつ多軸積層編物シート状物表面に毛羽のないものを◎とし、ステッチ針表面におけるサイジング剤の堆積や毛羽の付着がある、あるいは得られた多軸積層編物シート状物において炭素繊維束間の隙間がある、あるいは多軸積層編物シート状物表面に毛羽のないものを×とした。その結果を表１に示す。
【００９１】
（一方向炭素繊維強化複合材料（エポキシ樹脂）の作製と９０度方向曲げ試験）
Ｂステージ化したエポキシ樹脂組成物（三菱レイヨン（株）製：＃３５０；１３０℃硬化タイプ）からなるマトリックス樹脂をロールコーターで片側表面が離型処理されている離型紙に単位面積あたり５４ｇ／ｍ２で均一に塗布した。その樹脂担持シートの樹脂側に、上記の方法で得られたサイズ剤を付与した炭素繊維を繊維目付が２００ｇ／ｍ２になるように一方向に引き揃えて貼り付けた。さらにその炭素繊維側から上記と同様の単位面積あたり５４ｇ／ｍ２で均一に樹脂を塗布した樹脂担持シートの樹脂側の面を炭素繊維織布側にして重ね合わせ、これらを１００℃、線圧：２ｋｇ／ｃｍで加圧加熱して含浸させた。その後、片面の離型紙を剥離し、その面に保護フィルムを貼り付けることにより、炭素繊維目付が２００ｇ／ｍ２であり、樹脂含有率（以下、「ＲＣ」とする。）が３５質量％の一方向炭素繊維プリプレグを作製した。
【００９２】
上記一方向炭素繊維プリプレグを、炭素繊維束の向きを一方向に揃えて積層し、オートクレーブを用いて加熱・加圧硬化（室温から１８０℃まで２時間、１８０℃  ２時間保持  圧力０．６ＭＰａ）させ、２ｍｍ厚の複合材を作成した。このようにして得られた複合材の９０度方向曲げ強度をＡＳＴＭ  Ｄ  ７９０に従って測定を実施した。その結果を表１に示す。
【００９３】
（一方向炭素繊維強化複合材料（ビニルエステル樹脂）の作製と９０度方向曲げ試験）
サイジング剤を付着させた炭素繊維束３４本（投入本数：３４本）を使用し、サイジング剤が付着した炭素繊維束をクリールから巻き出し、ガイドロールを介してシート状に配列した後にレジンバスに導き、後述する熱硬化性樹脂ＶＥに浸漬し、同樹脂を付着させてから、ガイドバーにより擦過させて含浸させると共に、過剰の樹脂をある程度除去した。この後、２ｍｍ×５０ｍｍの矩形断面をなす引抜通路をもつ引抜成形用金型へと導入し、最終的に過剰な樹脂を除去した。引抜成形用金型６の金型温度は１５５℃、成形速度は０．２５ｍ／分とした。
【００９４】
ここで、引抜成型に用いた熱硬化性樹脂ＶＥ１は下記のものである。
「ＶＥ１」：主剤（ＤＩＣ社製、製品名：ＤＩＣＬＩＴＥ  ＵＥ−３５０５）と、硬化剤（化薬アクゾ社製、製品名：トリゴノックズ１１７）と、硬化促進剤（日本油脂社製、製品名：パーロイルＰＣＴ）と、内部離型剤（ＡＸＥＬ社製、製品名：モールドウィズＰＳ−１２５）とを、主剤／硬化剤／効果促進剤／内部離型剤＝１００／２／０．７５／１の質量比で混合したもの。
【００９５】
上記で得られた引抜成型物の９０度方向曲げ強度をＡＳＴＭ  Ｄ  ７９０に従って測定を実施した。その結果を表１に示す。
【００９６】
［実施例２〜９］
サイジング剤を表１に示した組成としたこと以外は実施例１と同様な方法で作成、評価を行った。結果を表１に示す。
【００９７】
［実施例１０］
浸漬槽内の濃度をサイジング剤の水分散液の濃度を３．０％としたこと以外は、実施例１と同様な方法で作成、評価を行った。結果を表１に示す。
【００９８】
［実施例１１］
浸漬槽内の濃度をサイジング剤の水分散液の濃度を１０．０％としたこと以外は、実施例１と同様な方法で作成、評価を行った。結果を表１に示す。
【００９９】
［比較例１〜４］
サイジング剤を表２に示した組成としたこと以外は実施例１と同様な方法で作成、評価を行った。結果を表２に示す。
【０１００】
［比較例５］
浸漬槽内の濃度をサイジング剤の水分散液の濃度を１．０％としたこと以外は、実施例１と同様な方法で作成、評価を行った。結果を表２に示す。
【０１０１】
［比較例６］
浸漬槽内の濃度をサイジング剤の水分散液の濃度を１５．０％としたこと以外は、実施例１と同様な方法で作成、評価を行った。結果を表２に示す。
【０１０２】
表１〜３に示す成分はそれぞれ表４に詳細を示すものである。ウレタンアクリレートオリゴマーの硬化物の引張伸び率及びガラス転移温度（Ｔｇ）についてはカタログ値を採用した。
【０１０３】
表３中のＡ１〜Ａ２およびＥ１〜Ｅ３は、より詳細には、それぞれ、下記の手順で得られた合成品である。
【０１０４】
（Ａ）成分、片末端アクリル酸変性ジグリシジルエーテルビスフェノールＡ
ここで、Ａ１〜Ａ２において、（Ａ）成分として有効なハーフエステル成分は１／２であり、残り１／２は未反応物とジエステル物である。表１〜３に示すＡ１〜Ａ２の配合量は、ハーフエステル成分、未反応物およびジエステル物の総量を表している。したがってハーフエステルとしての有効成分量は、表１〜３の配合量の１／２である。すなわち、サイジング剤中の（Ａ）成分の含有量を計算する際には、表に示されるＡ１およびＡ２の配合量の半分の値を用いる。ただし、全サイジング成分の量には、上記ハーフエステル成分の配合量だけでなく上記未反応物およびジエステル物の配合量も含まれる。すなわち、全サイジング成分の量を計算するためには、表に示されるＡ１およびＡ２の配合量の値を用いる。
【０１０５】
Ａ１：ビスフェノールＡ型エポキシ樹脂（ジャパンエポキシレジン製、製品名：ＪＥＲ８２８）３７８質量部に対し、アクリル酸８６質量部、ハイドロキノン１質量部、リチウムクロリド１質量部を加え、１００℃で加熱反応させて得た、ＪＥＲ８２８／ＪＥＲ８２８片末端アクリル変性エポキシ樹脂（ハーフエステル）／ＪＥＲ８２８両末端アクリル変性エポキシ樹脂（ジエステル）の混合質量比１／２／１の混合物。
【０１０６】
Ａ２：ビスフェノールＡ型エポキシ樹脂（ジャパンエポキシレジン製、製品名：ＪＥＲ８３４）１０００質量部に対し、アクリル酸８６質量部、ハイドロキノン１質量部、リチウムクロリド１質量部を加え、１００℃で加熱反応させて得た、ＪＥＲ８３４／ＪＥＲ８３４片末端アクリル変性エポキシ樹脂（ハーフエステル）／ＪＥＲ８３４両末端アクリル変性エポキシ樹脂（ジエステル）の混合質量比１／２／１の混合物。
【０１０７】
（Ｅ）成分、ポリエステルの製法
Ｅ１：ビスフェノールＡ１モル部に対してＰＯ（プロピレンオキサイド）３モル部が付加したビスフェノールＡのＰＯ付加物（三洋化成工業株式会社製、製品名：ニューポールＢＰ−３Ｐ）８００質量部、フマル酸２７８質量部（アルコール／酸＝１／１．２モル比）及びテトライソポプロポキシチタネート１質量部を、ガラス反応容器中、窒素流通下１８０℃で−０．１ＭＰａ（ゲージ圧）まで減圧し水を留去しながら１０時間反応させて得た。
【０１０８】
Ｅ２：ビスフェノールＡ１モル部に対してＰＯ３モル部が付加したビスフェノールＡのＰＯ付加物（三洋化成工業株式会社製、製品名：ニューポールＢＰ−３Ｐ）４００質量部、フマル酸１３９質量部（アルコール／酸＝１／１．２モル比）及びテトライソポプロポキシチタネート１質量部を、ガラス反応容器中、窒素流通下１８０℃で水を留去しながら１０時間反応させた。更にビスフェノールＡ１モル部に対してＥＯ（エチレンオキサイド）１０モル部が付加したビスフェノールＡのＥＯ付加物（三洋化成工業株式会社製、製品名：ニューポールＢＰＥ−１００）６６８質量部を加えて１８０℃で−０．１ＭＰａ（ゲージ圧）まで減圧し水を留去しながら１０時間反応させて得た。
【０１０９】
Ｅ３：ビスフェノールＡ１モル部に対してＰＯ３モル部が付加したビスフェノールＡのＰＯ付加物（三洋化成工業株式会社製、製品名：ニューポールＢＰ−３Ｐ）８００質量部、フマル酸２３２質量部（アルコール／酸＝１／１モル比）及びテトライソポプロポキシチタネート１質量部を、ガラス反応容器中、窒素流通下１８０℃で水を留去しながら１０時間反応させた。更にビスフェノールＡ１モル部に対してＥＯ１０モル部が付加したビスフェノールＡのＥＯ付加物（三洋化成工業株式会社製、製品名：ニューポールＢＰＥ−１００）６６８質量部を加えて１８０℃で−０．１ＭＰａ（ゲージ圧）まで減圧し水を留去しながら１０時間反応させて得た。
【０１１０】
上記結果に示すように、実施例１〜１１のように本発明のサイジング剤を付与した場合の炭素繊維束は、サイジング処理後の加熱乾燥処理からボビンに巻き取るまでの工程において、毛羽の発生が無く、かつ工程間のロールへの繊維の巻き付きが無く、かつ工程間の固定ピンガイドにサイズ剤由来の堆積物の付着がなく、工程通過性は非常に安定したものであった。また本発明のサイジング剤が付与された炭素繊維束を用いて一方向シート状基材を作成した際も、ボビンからの解舒の際に巻き崩れや糸切れがなく、かつ金属棒表面におけるサイジング剤の堆積や毛羽立ちがなく、工程通過性は非常に安定しており、かつ得られた一方向シート状基材において炭素繊維束間の隙間がなく、かつシート状基材表面に毛羽のなく、外観品位に優れるものであった。多軸積層編物シート状基材を作成した際も、ステッチ針表面におけるサイジング剤の堆積や毛羽の付着がなく、工程通過性は非常に安定しており、かつ得られた多軸積層編物シート状基材は炭素繊維束間の隙間がなく、かつ多軸積層編物シート状物表面に毛羽のなく、外観品位に優れるものであった。さらに、本発明のサイジング剤が付与された炭素繊維束を用いて得た引抜成型複合材は、いずれもラジカル重合系樹脂との優れた接着性を有していた。
【表１】
2016160549.tif 000004
【表２】
2016160549.tif 000005